(57)【特許請求の範囲】
【請求項１】
河川の植生護岸域の上流端に敷設された植生マットである上流側植生マットの少なくとも上流部又は前記植生護岸域の下流端に敷設された植生マットである下流側植生マットの少なくとも下流部を覆う保持材を具備し、
前記保持材によって覆われる前記上流側植生マットの上流側又は前記下流側植生マットの下流側に埋設構造体が連なる護岸構造。
【請求項２】
前記保持材は、前記上流側植生マット又は前記下流側植生マットを押さえ込むように設置されるネットである請求項１に記載の護岸構造。
【請求項３】
前記保持材の一部は地中に埋設される埋設部となる請求項１又は２に記載の護岸構造。
【請求項４】
前記埋設部は地中に埋設されるアンカー部材によって地中に固定される請求項３に記載の護岸構造。
【請求項５】
前記保持材は前記埋設構造体に接続される請求項１〜４の何れか一項に記載の護岸構造。
【請求項６】
前記保持材の下面側には吸出し防止材が設けられている請求項１〜５の何れか一項に記載の護岸構造。
【請求項７】
前記植生マットは、可撓性を有するネット材に芝生マットを一体化させたものである請求項１〜６の何れか一項に記載の護岸構造。
【請求項８】
前記植生護岸域に前記保持材を設置することにより請求項１〜７の何れか一項に記載の護岸構造を構築する護岸構造の構築方法。
【発明の詳細な説明】
【技術分野】
【０００１】
本発明は、例えば、河川の堤防などの植生護岸に用いる護岸構造及びその構築方法に関する。
【背景技術】
【０００２】
従来、複数の植生マットを河川の植生護岸対象とする領域（植生護岸域）に上下左右に敷き並べ、隣り合う植生マットどうしを繋ぎ合わせた状態とする護岸工法が実施されており、植生護岸域の上端（天端）に配される上端側植生マット及び下端（堤脚）に配される下端側植生マットについては、流水による剥がれや流亡等が特に懸念されることから、その対応策が種々提案されている（例えば特許文献１参照）。
【先行技術文献】
【特許文献】
【０００３】
【特許文献１】特開２００１−１２００５２号公報
【発明の概要】
【発明が解決しようとする課題】
【０００４】
ところで、上述の上端側植生マット及び下端側植生マットの他、植生護岸域の上流端に配される上流側植生マット及び下流端に配される下流側植生マットについても、やはり流水による剥がれ等のおそれがあるといえる。しかし、植生護岸域の上流端から下流端にかけて設置される上端側植生マット及び下端側植生マットに比べ、上流端及び下流端のみに設置される上流側植生マット及び下流側植生マットについては、その剥がれ等の問題自体、明示されることは殆どなく、特段の解決策が提案されていないのが現状である。
【０００５】
本発明は上述の事柄に留意してなされたもので、その目的は、植生護岸域の上流端又は下流端に配した植生マットの剥がれや流亡を防止し、ひいては植生護岸域の植生護岸の確実化を図ることのできる護岸構造及びその構築方法を提供することにある。
【課題を解決するための手段】
【０００６】
上記目的を達成するために、本発明に係る護岸構造は、河川の植生護岸域の上流端に敷設された植生マットである上流側植生マットの少なくとも上流部又は前記植生護岸域の下流端に敷設された植生マットである下流側植生マットの少なくとも下流部を覆う保持材を具備し、前記保持材によって覆われる前記上流側植生マットの上流側又は前記下流側植生マットの下流側に埋設構造体が連なる（請求項１）。
【０００７】
上記護岸構造において、前記保持材は、前記上流側植生マット又は前記下流側植生マットを押さえ込むように設置されるネットであるとしてもよい（請求項２）。
【０００８】
上記護岸構造において、前記保持材の一部は地中に埋設される埋設部としてもよい（請求項３）。
【０００９】
上記護岸構造において、前記埋設部は地中に埋設されるアンカー部材によって地中に固定されてもよい（請求項４）。
【００１０】
【００１１】
上記護岸構造において、前記保持材は前記埋設構造体に接続されてもよい（請求項５）。
【００１２】
上記護岸構造において、前記保持材の下面側には吸出し防止材が設けられていてもよい（請求項６）。
【００１３】
上記護岸構造において、前記植生マットは、可撓性を有するネット材に芝生マットを一体化させたものであってもよい（請求項７）。
【００１４】
一方、上記目的を達成するために、本発明に係る護岸構造の構築方法は、前記植生護岸域に前記保持材を設置することにより請求項１〜７の何れか一項に記載の護岸構造を構築する（請求項８）。
【発明の効果】
【００１５】
本願発明では、植生護岸域の上流端又は下流端に配した植生マットの剥がれや流亡を防止し、ひいては植生護岸域の植生護岸の確実化を図ることのできる護岸構造及びその構築方法が得られる。
【００１６】
すなわち、本願の各請求項に係る発明の護岸構造では、保持材によって上流側植生マットの少なくとも上流部又は下流側植生マットの少なくとも下流部を覆うことにより、流水による上流側植生マット又は下流側植生マットの剥がれや流亡等の防止を図ることができる。そして、上流側植生マット又は下流側植生マットの剥がれや流亡が生じると、その部分を起点にして、これらに連なる植生マットの剥がれや流亡が連鎖的に引き起こされるおそれがあるが、本発明の護岸構造では、こうした連鎖的な植生マットの剥がれ等の起点となる上流側植生マット又は下流側植生マットの剥がれ等を未然に防ぐことができるので、植生護岸域の植生護岸の確実化を図ることもできる。
【００１７】
請求項２に係る発明の護岸構造では、ネットである保持材は通水性を有し、この保持材によって押さえ込まれた植生マットの芝に対する降雨等による水分供給が阻害されないので、芝の良好な生育を期待することができる。
【００１８】
請求項３、４に係る発明の護岸構造では、その一部が地中に埋設された保持材が、流水によって流され難く、特にその埋設部分をアンカー部材で固定すれば、より流され難くなるのであり、これにより、植生マットの剥がれ等の防止のさらなる確実化を期待することができる。
【００１９】
請求項１に係る発明の護岸構造では、上流側植生マットの上流側又は下流側植生マットの下流側の土壌が流水による浸食作用によって浸食され、この浸食が上流側植生マット又は下流側植生マットの下側の土壌にまで及び、ひいては上流側植生マット又は下流側植生マットが剥がれて流亡するといった事態を確実に回避することができる。
【００２０】
請求項５に係る発明の護岸構造では、保持材がより剥がれる等し難くなり、植生マットを覆う保持材の安定性、ひいては植生マットの安定性を向上させることができる。
【００２１】
請求項６に係る発明の護岸構造では、植生マットに欠落部分が生じても、吸出し防止材が、その部分から土が吸い出されることを防止し、欠落部分の機能を補完することができる。
【００２２】
請求項７に係る発明の護岸構造では、芝生マットを植生護岸域に張り付ける作業の容易化を図ることができる。
【図面の簡単な説明】
【００２３】
【図１】本発明の一実施の形態に係る護岸構造の構築途中の構成を概略的に示す説明図である。
【図２】前記護岸構造に用いる植生マットの構成を示す斜視図である。
【図３】前記植生マットとその製造方法の構成を概略的に示す斜視図である。
【図４】（Ａ）〜（Ｄ）は前記植生マットの製造方法の構成を概略的に示す説明図、（Ｅ）及び（Ｆ）は前記植生マットの施工方法の構成を概略的に示す説明図である。
【図５】前記植生マットの施工方法の構成を概略的に示す縦断面図である。
【図６】前記護岸構造の要部の構成を示す縦断面図である。
【図７】（Ａ）〜（Ｃ）は、前記植生マットの施工方法に用いるネットピンの正面図、側面図及び底面図である。
【図８】前記ネットピンの使用状態を示す縦断面図である。
【発明を実施するための形態】
【００２４】
本発明の実施の形態について図面を参照しながら以下に説明する。
【００２５】
本実施の形態に係る護岸構造は、図２に示す植生マットＤを河川の植生護岸域に上下左右に複数敷き並べて構築されるものであり、その構築途中の護岸構造の状態を図１に示している。
【００２６】
ここで、植生マットＤは、たとえば平面視が２０００ｍｍ×３０００ｍｍの長方形状のものや、２０００ｍｍ×２０００ｍｍの正方形状のものであって、下面に不織布１が配置された可撓性を有するネット材２に芝生マット３を一体化させて成るものである（図２参照）。
【００２７】
不織布１は、平面視がほぼ矩形状で、化学繊維目付量が４０〜８０ｇ／ｍ2 となるように形成された部材であり、耐久性、耐腐食性に富む素材であるポリエステル繊維、やしマットなどを用いて形成されている。
【００２８】
ネット材２は、平面視において不織布１とほぼ同じ形状であり、かつ幅１ｍ当たりの引っ張り強度が０．５〜５トン程度で、目合いが５〜９×５〜９ｍｍ程度となるように形成されている。ネット材２は、耐久性に富む繊維、たとえばナイロンやポリエステル、アラミド、カーボン、ポリアセタールなどの繊維を用いて、格子状に成形したものであるが、上記の繊維による線条を用いて、上記と同様の目合いの網状体に編組したものにしてもよい。
【００２９】
芝生マット３は、複数の芝３ａと、芝３ａの根によって保持される土３ｂとからなる。
【００３０】
植生マットＤは、芝生マット３が形成される主体部４と、この主体部４の周縁に形成され、芝生マット３が形成されない周縁部５とからなる。すなわち、主体部４は、不織布１とネット材２と芝生マット３とからなる部分であり、周縁部５は、不織布１とネット材２とからなる部分である。なお、隣接する植生マットＤの主体部４と周縁部５とを重ね合わせる場合には、その周縁部５には不織布１を設けず、周縁部５はネット材２のみからなっていてもよい。
【００３１】
周縁部５は、植生マットＤの幅方向片側に形成された、たとえば１５０ｍｍ幅の周縁部分５ａと、植生マットＤの長手方向の一方に形成された、たとえば１００ｍｍ幅の周縁部分５ｂと、植生マットＤの長手方向の他方に形成された、たとえば１００ｍｍ幅の周縁部分５ｃとからなる。
【００３２】
植生マットＤは、以下のようにして製造される。すなわち、まず、図４（Ａ）に示すように、圃場６に不織布１を敷設した後、この不織布１の上に可撓性を有するネット材２を重ね（図４（Ｂ））、このネット材２の上から別途圃場６で生育させた芝生マット３を敷き詰める（図４（Ｃ））。そして、芝３ａの根が不織布１およびネット材２に絡まった段階で（図４（Ｄ））、不織布１の下側に伸びた芝３ａの根を切断しつつ、ネット材２を不織布１ごと圃場６から剥がし取ることで、植生マットＤの製造が完了する（図３参照）。
【００３３】
なお、上記の植生マットＤの製造方法において、植生マットＤの製造開始時にネット材２の周辺部に角材Ｋ（図３参照）などを配置し、植生マットＤの製造が完了した段階で、この角材Ｋなどを取り出すようにすれば、植生マットＤに、芝生マット３が形成されない周縁部５を設けることができる。
【００３４】
また、上記の角材Ｋなどの配置を省略して、植生マットＤ製造後に芝生マット３の周辺部を崩し取ることで、周縁部５を形成するようにしてもよい。
【００３５】
なお、上記の周縁部分５ａ〜５ｃの各端部に、ネット連結時の目ずれ防止のために、２〜５ｃｍ程度の幅で網目を密にした部分を形成しておくことが望ましい。
【００３６】
上記の構成からなる植生マットＤの製造方法によれば、植生マットＤの下面に不織布１が形成されていることから、植生マットＤの下方へ進入する芝３ａの根の量が、不織布１を設けない場合に比べて少なくなり、圃場６から植生マットＤを剥がし取るという作業を、より小さな力で行うことが可能となる。
【００３７】
なお、植生マットＤのネット材２に対する不織布１の装着は、芝生マット３の芝３ａの根を不織布１およびネット材２に絡ませることによって行うことができるが、これに加えて、たとえば紐や接着剤などを用いて装着するようにしてもよい。
【００３８】
植生マットＤの製造方法は上記の構成に限るものではなく、たとえば以下に示す構成としてもよい。すなわち、まず、圃場６に不織布１を敷設した後、この不織布１の上に可撓性を有するネット材２を重ね、ネット材２の上から芝３ａのランナーを植えて覆土を施し、芝３ａの根が不織布１およびネット材２に絡まり、前記ランナーが芝生マット３に育成した段階で、不織布１の下側に伸びた芝３ａの根を切断しつつ、ネット材２を不織布１ごと圃場６から剥がし取るようにしてもよい。
【００３９】
また、さらに他の植生マットＤの製造方法として、不織布１を適宜たとえば作業台上に展開させて、この上に可撓性を有するネット材２を重ね、さらにこの上に芝生マット３を配置し、この三者をステイプルなどによる結束や、その他、縫製などの連結手段（ともに図示せず）によって一体化させることによっても、植生マットＤを得ることができる。
【００４０】
この製造方法によれば、不織布１およびネット材２には芝生マット３の芝３ａの根が絡まっていないものの、この三者が連結手段によって一体化されていることから、植生護岸に際して、周縁部５の重ね合わせ部にアンカーを打設することで、実質的に芝生マット３を、不織布１およびネット材２を介して法面に強固に張り付けることができるのであり、やがては時を経て、芝生マット３の芝の根が不織布１およびネット材２に絡みつつ、法面に根張りするのであって、この製造方法によれば、予め生育させた芝生マット３を用いることに加えて、芝生マット３の不織布１およびネット材２への根絡みを待つ必要がないことから、その時間分、植生マットＤの製造時間をさらに短縮することができる。
【００４１】
次に、植生マットＤの施工方法について、図１、図４（Ｅ）、（Ｆ）および図５を用いて説明する。なお、図１において、Ｒは、水の流れる方向である。植生護岸のために、河川の法面（植生護岸域の一例）Ｎに植生マットＤを施工するには、まず、図１に示すように、法尻の湛水域またはかなりの期間湛水する部分Ａを適宜掘削して、この掘削部分Ａに、たとえばカゴマット７の張り工法を実施（その他、捨て石やフトンカゴの敷設も好適である。）する。
【００４２】
この際、カゴマット７の下側に、上記のネット材２と同様のネット材８を適宜の幅にわたって敷き込んで、その上辺部８ａを、カゴマット７の上部の法面Ｎ側（植生護岸域側）に突出させておく。一方、図５に示すように、想定される増水時の最高水位Ｈ付近、好ましくは、最高水位Ｈよりもやや上部側の植生護岸域に、上記のネット材２と同様のネット材９を、その川側の突出辺部９ａ（図１参照）を突出させて埋設しておく。
【００４３】
さらに、植生護岸域内において、上下のネット材９、８にわたり、上記のネット材２と同様のネット材１０を埋設しておく。このネット材１０は、増水時の流速を勘案して、たとえば川の流れる方向に１０ｍ〜３０ｍの間隔で、かつ一部１０ａを下流側に向けて露出させるようにして埋設される。
【００４４】
なお、ネット材９、１０は、必要に応じてアンカーピン１１（図５参照）で河川法面Ｎに固定することが望ましい。
【００４５】
そして、図１に示すように、周縁部分５ａを上流側に向けた植生マットＤにおいて上側に位置する周縁部分５ｃ（水の流れる方向Ｒが図１に示す方向と逆の場合や、植生マットＤを図１に示す法面Ｎの対岸に設置する場合、周縁部分５ｃではなく周縁部分５ｂとなるが、以下では、周縁部分５ｂとなる場合の説明は省略する。）にフック部材１２を引っかけて、クレーン１３などを利用して、上記構成の植生マットＤを、たとえば植生護岸域の下流側から上流側に向けてかつ植生護岸域の下側から上側に向けて法面Ｎに複数張設する（図４（Ｅ）参照）。
【００４６】
このとき、図５に示すように、植生護岸域の下端に配置される植生マットＤについては、カゴマット７の下側に敷き込まれたネット材８から突出させた上辺部８ａに、下端側植生マットＤ１の周縁部５の下側部分（周縁部分５ｂ）を上方から重ね合わせて、この両者にアンカーピン１１を打設する。
【００４７】
また、植生護岸域の上下方向に隣り合う植生マットＤについては、下側の植生マットＤの周縁部５の上側部分（周縁部分５ｃ）に、上側の植生マットＤの周縁部５の下側部分（周縁部分５ｂ）を上方から重ね合わせて、この両者にアンカーピン１１を打設する。
【００４８】
さらに、植生護岸域の最高水位Ｈ付近に配置される（ネット材９の突出辺部９ａに連結される）植生マットＤについては、それの周縁部５の上側部分（周縁部分５ｃ）を、ネット材９の突出辺部９ａに上方から重ね合わせて、この両者にアンカーピン１１を打設するのであるが、この際、植生マットＤの長さ寸法の関係で、植生マットＤの上端が突出辺部９ａを越えることがあり、この場合は、突出辺部９ａの重なり部分にアンカーピン１１を打設すればよく、あるいは、ネット材２を切断するなどして、植生マットＤの長さ寸法を調整し、両者５ｃ、９ａを重ね合わせるようにしてもよい。
【００４９】
一方、植生護岸域の下流側から上流側に向けて複数の植生マットＤを張設するに際しては、下流側の植生マットＤの上流側周縁部分５ａに、上流側の植生マットＤの下流部を上方から重ね合わせ、その重なり部分にアンカーピン１１を打設するのであり、かつネット材１０に対しては、下流側の植生マットＤの上流側周縁部分５ａを重ね合わせて、この両者１０、５ａをコイル線材やステイプルなどの連結手段（図示せず）によって連結して、この重ね合わせ部に、上流側の植生マットＤの下流部を重ね合わせ、これら三者の重なり部分にアンカーピン１１を打設する。
【００５０】
この際、植生マットＤの幅寸法の関係で、植生マットＤがネット材１０をオーバーすることがあるが、この場合は、前記連結手段による連結を止めて、ネット材１０への重なり部分にアンカーピン１１を打設すればよく、あるいは植生マットＤを切断してその幅寸法を調整し、植生マットＤがネット材１０をオーバーしないようにしてもよい。
【００５１】
そして、上下ならびに左右方向で隣り合う植生マットＤのそれぞれの重ね合わせ部と、植生マットＤ及びネット材９の重ね合わせ部とについては、これらのネット材２、９を、予め植生護岸域に埋設した接続部材１４に係止させるようにしてもよい。また、必要に応じて全ての又は任意の植生マットＤを覆うように、芝生マット３に覆土１５（図１参照）を施すようにしてもよい。
【００５２】
なお、上記の実施の形態では、図１および図５に示すように、ネット材９の埋設域よりも上方の植生護岸域に、不織布１およびネット材２を一体化させていない芝生マットＳを張設しているが、この芝生マットＳに代えて、上記構成の植生マットＤを張設してもよいことは言うまでもない。
【００５３】
上記の植生マットＤの施工方法によれば、その施工方法に用いる植生マットＤが、芝生マット３の強い表層根が不織布１およびネット材２に強固に根絡みした保形性の高い植生マットＤであって、隣り合う植生マットＤ同士を重ね合わせて、アンカー１１などで法面Ｎに固定することから、実質的に四側辺が互いに連結された芝生マット３を、不織布１およびネット材２を介して法面Ｎに強固に張り付けることができるのであり、そして、芝生マット３は時を経て法面Ｎに強固に根張りすることになる（図４（Ｆ）参照）。
【００５４】
従って、法面Ｎ全体の均一な緑化植生を期することができる上に、たとえば植生マットＤの施工直後に河川が増水したとしても、植生マットＤは、流水によって簡単に崩れたり剥がれたりしないのであって、施工直後から高い親水護岸の機能を発揮するのであり、景観上で優れることはもちろん、流水による法面Ｎの浸食も効果的に防止されるのである。
【００５５】
特に、隣り合う植生マットＤの上部側ならびに上流側のネット材２を、下部側ならびに下流側の植生マットＤのネット材２に上方から重ね合わせているので、増水の際、ネット材２の端縁は流水に逆らわず、水がスムーズに流れるのであって、植生マットＤの流れが一層効果的に防止されるのである。
【００５６】
また、植生マットＤの下面には、不織布１が形成されており、この不織布１は、芝生マット３と同様に、増水時などの流水による植生マットＤの裏側からの土の吸い出しを防止する吸出し防止効果を有している。このため、たとえば施工当初において芝３ａの生育が不十分であることが原因で芝３ａの欠損箇所が生じたり、施工後における雑草の侵入（芝生が株状の植物に置換されることを含む）や芝３ａの衰退により芝３ａの欠損域が拡大したりすることなどによって、植生マットＤに芝生マット３が欠落した部分が生じたとしても、前記不織布１が、その部分から土が吸い出されることを防止し、欠落した芝３ａの機能を補完することができる。さらに、芝生マット３が形成されない周縁部５や植生マットＤのつなぎ目の部分の下側から土や砂が吸い出されることも、不織布１によって防止することが可能となる。
【００５７】
なお、上記の吸出し防止効果を得るために、不織布１は、法面Ｎを形成する土や砂などを通しにくく、かつ芝生マット３の芝３ａの根をある程度通す複数の穴もしくは隙間を有するものが望ましい。
【００５８】
また、植生マットＤには、その接合部分に不織布１が設けられていることから、流水による土や砂などの吸い出し防止のために、吸い出し防止部材（たとえば吸出し防止シート）などを現場で施工する手間が省け、施工面でコストを下げることが可能となる。
【００５９】
さらに、不織布１が土や砂を通さないことから、施工後の植生マットＤに対して周囲から飛散侵入してきた雑草の成長を抑制、妨害し、ひいては雑草の侵入を防止することができる。
【００６０】
上記の構成からなる植生マットＤの施工方法における植生マットＤの法面Ｎへの張設は、植生マットＤの重量に応じて、上述したようなクレーン１３などを利用してもよいし、人力で行ってもよい。
【００６１】
上記の構成からなる植生マットＤと、その製造方法および施工方法によれば、不織布１と芝生マット３とを組み合わせたことにより、植生マットＤに接触する流水の速度が３（ｍ／ｓ）以上となっても、流水による土や砂の吸い出し防止を図ることができ、また、強靱なネット材２に芝生マット３の芝３ａの根茎が絡むことにより、流水によって芝生が容易に剥がれることがなく、さらに、施工直後から河川法面の浸食防止および景観向上を図ることができる。
【００６２】
また、一般の吸い出し防止材を用いる従来の植生マットの施工では、一般の吸い出し防止材を植生マットの直下に施工すると、芝生などの根茎が法面に侵入できなくなるため、一般の吸い出し防止材を下層に施工した後、１０〜３０ｃｍ程度の覆土をし、その上に芝生などを張り付けていた（つまり少なくとも２工程にわたる施工が必要であった）が、上記の構成からなる植生マットＤと、その施工方法によれば、１工程のみで施工を完了することができるのである。
【００６３】
そして、本実施形態の護岸構造は、図６に示すように、上記の構成からなる植生マットＤの施工方法によって法面Ｎの上流端に敷設された植生マット（上流側植生マット）Ｄの少なくとも上流部又は法面Ｎの下流端に敷設された植生マット（下流側植生マット）Ｄの少なくとも下流部を覆う保持材１６を設置することにより、構築されるものである。
【００６４】
ここで、保持材１６は、上流側植生マットＤの少なくとも上流部又は下流側植生マットＤの少なくとも下流部を押さえ込むように設置されるネットであり、上記のネット材２と同様のものを用いることができる。
【００６５】
また、保持材１６の一部（植生マットＤを覆わない部分）は地中に埋設される埋設部１６ａとなっており、この埋設部１６ａは地中に埋設されるアンカー部材１７によって地中に固定される。具体的には、上流側植生マットＤ又は下流側植生マットＤを敷設する前に、土を掘って埋設部１６ａを埋設するための穴を開け、例えばその穴の底に這わせた埋設部１６ａにアンカー部材１７を打ち込んで固定し、その後、保持材１６において埋設しない部分を地上に引っ張り出した状態で穴を埋め戻し、必要に応じて転圧を行った後、その埋め戻し部分の上に植生マット（上流側植生マット又は下流側植生マット）Ｄを配し、その上から保持材１６を重ね、保持材１６及び植生マットＤを貫くアンカーピン１１を適宜の箇所に打ち込んで保持材１６が植生マットＤを押さえ込む状態となるようにする。
【００６６】
このように保持材１６はその一部が地中に埋設され、さらにはアンカー部材１７で固定されるので、流水によって流され難くなっている。
【００６７】
さらに、図６に示すように、保持材１６によって覆われる上流側植生マットＤの上流側又は下流側植生マットＤの下流側に埋設構造体１８が連なるようにすれば、上流側植生マットＤの上流側又は下流側植生マットＤの下流側の土壌が流水による浸食作用によって浸食され、この浸食が上流側植生マットＤ又は下流側植生マットＤの下側の土壌にまで及び、ひいては上流側植生マットＤ又は下流側植生マットＤが法面Ｎから剥がれて流亡するといった事態を確実に回避することができる。この埋設構造体１８が連なるようにする構成は、上述したように、保持材１６の一部を地中に埋設する際に土の埋め戻しを行い、この埋め戻し部分に植生マット（上流側植生マット又は下流側植生マット）Ｄを配する場合に特に有効である。なぜなら、土の埋め戻し部分は、たとえ転圧を行ったとしても周囲に比べて圧が低く、流水による浸食作用を受け易いからである。
【００６８】
従って、埋設構造体１８は、高い耐久性及び不透水性を有するものが好適であり、例えば現地でモルタルやコンクリートを打設して構築されたものであってもよいし、既成のコンクリート製ブロックやコンクリート板等の塊体の埋設によって構築されたものでもよい。その他、透水性を有することにはなるが、埋設構造体１８が、土嚢、カゴマット、捨て石、フトンカゴ等の埋設によって構築されたものであってもよい。
【００６９】
上記のように構成した護岸構造では、保持材１６によって上流側植生マットＤの少なくとも上流部又は下流側植生マットＤの少なくとも下流部を覆うことにより、流水による上流側植生マットＤ又は下流側植生マットＤの剥がれや流亡等の防止を図ることができる。そして、上流側植生マットＤ又は下流側植生マットＤの剥がれや流亡が生じると、その部分を起点にして、これらに連なる植生マットＤの剥がれや流亡が連鎖的に引き起こされるおそれがあるが、本実施形態の護岸構造では、こうした連鎖的な植生マットの剥がれ等の起点となる上流側植生マットＤ又は下流側植生マットＤの剥がれ等を未然に防ぐことができるので、植生護岸域の植生護岸の確実化を図ることもできる。
【００７０】
また、ネットである保持材１６は通水性を有し、この保持材１６によって押さえ込まれた植生マットＤの芝３ａに対する降雨等による水分供給が阻害されないので、芝３ａの良好な生育を期待することができる。
【００７１】
なお、本発明は、上記の実施の形態に何ら限定されず、本発明の要旨を逸脱しない範囲において種々に変形して実施し得ることは勿論である。例えば、以下のような変形例を挙げることができる。
【００７２】
上記実施形態では、植生マットＤの施工に際し、不織布１を予め一体化した植生マットＤを用いているが、これに限らず、まず不織布１を法面Ｎに張設し、この不織布１の上から、予め一体化された可撓性を有するネット材２と芝生マット３を、たとえばステイプルなどによる結束や、縫製などの連結手段を用いて張設するようにしてもよい。
【００７３】
この場合、不織布１を法面Ｎに張設するには、たとえば不織布１の周縁部や適宜の部位をネット材８、９、１０などにアンカー止めすればよく、このアンカー止めを、ネット材２および芝生マット３の張設に兼用させてもよい。
【００７４】
また、不織布１は、法面Ｎの全面にわたって張設するようにしてもよいが、施工される植生マットＤのつなぎ目部分に相当する箇所のみに張設するようにすれば、不織布１の必要量を減らすことができ、コストを下げることが可能となる。
【００７５】
上記ネット材２の周縁部分５ａ、５ｂ、５ｃの重ね合わせ部の連結構造として、周縁部分５ａ〜５ｃを下面側に折り畳んで、これを接続金具１４に係止させるようにしてもよく、必要に応じてアンカー１１を打設してもよい。
【００７６】
上記実施形態の植生マットＤは、その三側辺に張り出す周縁部分５ａ〜５ｃを有するので、水の流れる方向Ｒが図１の逆になる場合や、図１に示す法面Ｎの対岸に施工する場合でも、植生マットＤの向きを図１の逆にすることでその敷設が可能であり、しかも、四側辺に張り出す周縁部分を有する植生マットＤに比べ、構成の簡素化、コンパクト化を図ることができるものとなっている。しかし、これに限らず、植生マットＤが、隣り合う二側辺のみに張り出す周縁部分５ａ及び５ｂ（あるいは５ａ及び５ｃ）を有していてもよい。この場合、例えば河川の両岸にそれぞれ植生マットＤを施工するには、二種類の植生マットＤ（周縁部分５ａ及び５ｂを有する植生マットＤと、周縁部分５ａ及び５ｃを有する植生マットＤ）を用いればよい。
【００７７】
あるいは、周縁部分５ａ〜５ｃを設けずに、植生マットＤそのものにアンカーピン１１を打設してもよい。
【００７８】
埋設構造体１８は、護岸構造を構築する際に新設するものに限らず、既設のものでもよい。この場合、既存の埋設構造体１８に連なるように上流側植生マットＤ又は下流側植生マットＤや保持材１６を設ければよい。
【００７９】
そして、埋設構造体１８を新設する場合、保持材１６を、埋設構造体１８に埋め込む、埋設構造体１８の下敷きにする、埋設構造体１８に係止する、結びつける、といった手段により、保持材１６を埋設構造体１８に接続してもよい。この場合、保持材１６がより剥がれる等し難くなり、植生マットＤを覆う保持材１６の安定性、ひいては植生マットの安定性を向上させることができる。
【００８０】
保持材１６において、少なくとも植生マットＤを覆う部分の下面に、不織布等の吸出し防止材を設けるようにしてもよい。
【００８１】
また、保持材１６の一部を、埋設せず、例えば重量物（図示していない）に接続するようにしてもよい。この場合、重量物としては、土嚢、カゴマット、捨て石、フトンカゴ等を用いることができ、接続方法としては、保持材１６の上に重量物を載せる、保持材１６を重量物に直接または間接的に係止、締結する、といったことが考えられる。
【００８２】
保持材１６及び埋設構造体１８は、上流側植生マットＤの上流部（上流側）及び下流側植生マットＤの下流部（下流側）のいずれか一方のみに設けてもよいが、両方に設けるのが好ましい。
【００８３】
その他、保持材１６を用いず、上流側植生マットＤの上流部又は下流側植生マットＤの下流部を地中に埋め込むようにしてもよく、さらにはその埋め込んだ部分の上側に前記重量物を載置するようにしてもよい。この場合、上流側植生マットＤの上流部又は下流側植生マットＤの下流部の上側にのる土や重量物が保持材として機能することになる。
【００８４】
上記実施形態では、植生マットＤの固定にアンカーピン１１や接続部材１４を用いているが、これらの一方又は両方の代わりに、図７（Ａ）〜（Ｃ）に示すネットピン１９を用いるようにしてもよい。ネットピン１９は、略矩形板状の基部１９ａと、この基部１９ａの長手方向に一列に設けられた少なくとも二つ（図示例では計四つ）の差し込み部１９ｂとを有し、各差し込み部１９ｂは先端部を尖頭加工してなる断面視十字型棒状を呈し、その根元付近には返し構造１９ｃを有する。
【００８５】
そして、このネットピン１９は、ネット材２等の網目を通過するようにして地面へ突き刺すことで、ネット材２等を強固に地面へ固定することのできるものであり、図８に示すように、基部１９ａの長手方向が法面Ｎの上下方向となる向きで使用することにより、植生マットＤの位置ずれを最も効果的に防止することができる。
【００８６】
なお、上記変形例どうしを適宜組み合わせてもよいことはいうまでもない。
【符号の説明】
【００８７】
１    不織布
２    ネット材
３    芝生マット
３ａ  芝
３ｂ  土
４    主体部
５    周縁部
５ａ〜５ｃ  周縁部分
６    圃場
７    カゴマット
８    ネット材
８ａ  上辺部
９    ネット材
９ａ  突出辺部
１０    ネット材
１０ａ  一部
１１    アンカーピン
１２    フック部材
１３    クレーン
１４    接続部材
１５    覆土
１６    保持材
１７    アンカー部材
１８    埋設構造体
１９    ネットピン
１９ａ  基部
１９ｂ  差し込み部
１９ｃ  返し構造
Ｄ    植生マット
Ｓ    芝生マット
【要約】
【課題】植生護岸域の上流端又は下流端に配した植生マットの剥がれや流亡を防止し、ひいては植生護岸域の植生護岸の確実化を図ることのできる護岸構造及びその構築方法を提供すること。
【解決手段】河川の植生護岸域の上流端に敷設された植生マットである上流側植生マットＤの少なくとも上流部又は前記植生護岸域の下流端に敷設された植生マットである下流側植生マットＤの少なくとも下流部を覆う保持材１６を具備する。前記保持材１６は、前記上流側植生マットＤ又は前記下流側植生マットＤを押さえ込むように設置されるネットである。
【選択図】図６【図１】
0006615403.tif 000002
【図２】
0006615403.tif 000003
【図３】
0006615403.tif 000004
【図４】
0006615403.tif 000005
【図５】
0006615403.tif 000006
【図６】
0006615403.tif 000007
【図７】
0006615403.tif 000008
【図８】
0006615403.tif 000009